(57)【要約】【課題】余興効果を発生させ、または興趣性を高めさせることができるようにする。【解決手段】押釦スイッチ８を操作する都度、電子機器に記憶されているマジック用のプログラムに従ってメッセージまたは数字・演算子などを表示部５に順次表示してゆき、その都度、順次表示されたメッセージ等に従って観客が特定の数字を思い浮かべるように進行させ、観客が思い浮かべた数字「８」と同じ数字「８」を最終的に表示してやり、観客が思い浮かべた数字と同じ数字をあたかも電子機器が当てたかなような電子マジックを実演することができる。【選択図】図６
2008104536.tif 000002
【特許請求の範囲】
【請求項１】
「１」から「９」までの数字のいずれかを選択させるべきことを示す第１のメッセージを表示させる第１の表示制御手段と、
前記第１のメッセージが表示された後において、予め定められている操作の有無を判断する第１の判断手段と、
この第１の判断手段により前記予め定められている操作の有が判断されたことを条件として、前記選択させた数字に「９」を乗じるべきことを示す第２のメッセージを表示させる第２の表示制御手段と、
前記第２のメッセージが表示された後において、予め定められている操作の有無を判断する第２の判断手段と、
この第２の判断手段により前記予め定められている操作の有が判断されたことを条件として、前記選択させた数字に９を乗じた値における二桁の数字を加算すべきことを示す第３のメッセージを表示させる第３の表示制御手段と、
前記第３のメッセージが表示された後において、予め定められている操作の有無を判断する第３の判断手段と、
ランダムに数字と演算記号とを発生させるランダム数字発生手段と、
前記第３の判断手段により前記予め定められている操作の有が判断されたことを条件として、前記ランダム数字発生手段が発生させた数字と演算記号とを表示させる第４の表示制御手段と、
前記ランダム数字発生手段が発生させた数字と前記演算記号とが表示された後において、予め定められている操作の有無を判断する第４の判断手段と、
この第４の判断手段により前記予め定められている操作の有が判断されたことを条件として、前記二桁の数字を加算した値、前記ランダム数字発生手段が発生させた数字、及び前記演算記号を用いた演算の演算結果を答えるべきことを示す第４のメッセージを表示させる第５の表示制御手段と、
前記第４のメッセージが表示された後において、予め定められている操作の有無を判断する第５の判断手段と、
この第５の判断手段により前記予め定められている操作の有が判断されたことを条件として、予め定められている固定値「９」、前記ランダム数字発生手段が発生させた数字、及び前記演算記号を用いて演算を実行し、その演算結果を表示させる第６の表示制御手段と
を備えることを特徴とする電子機器。
【請求項２】
「１」から「９」までの数字それぞれに対応する識別子を順次表示させる第７の表示制御手段と、
前記「１」から「９」までの数字それぞれに対応する識別子が順次表示されている状態において、予め定められている操作の有無を判断する第６の判断手段と、
この第６の判断手段により、前記予め定められている操作の有が判断された時点において表示されていた前記識別子に対応する数字の値を記憶する記憶手段と、
この記憶手段に前記前記識別子に対応する数字の値が記憶されている状態において、予め定められている操作の有無を判断する第７の判断手段と、
この第７の判断手段により前記予め定められている操作の有が判断されたことを条件として、前記記憶された値を表示させる第８の表示制御手段と
を更に備えることを特徴とする請求項１記載の電子機器。
【請求項３】
前記ランダム数字発生手段は、「１」から「５」までの数字をランダムに発生させる第１のランダム数字発生手段と、「６」から「９」までの数字をランダムに発生させる第２のランダム数字発生手段とを備え、
前記第４の表示制御手段は、第１のランダム数字発生手段が発生させた数字と演算記号「＋」とを表示させるとともに、前記第２のランダム数字発生手段が発生させた数字と演算記号「−」とを表示させ、
前記第６の表示制御手段は、前記第１の第１のランダム数字発生手段が発生した数値を「９」に加算する加算手段と、この加算手段の加算結果から前記第２のランダム数字発生手段が発生した数字を減算する減算手段とを備えることを特徴とする請求項１又は２記載の電子機器。
【請求項４】
前記第６の表示制御手段により前記演算手段の演算結果が表示される際に、発光動作する発光手段を更に備えることを特徴とする請求項１又は２記載の電子機器。
【請求項５】
前記第６の表示制御手段により前記演算手段の演算結果が表示される際に、放音動作する音発生手段を更に備えることを特徴とする請求項１、２又は４記載の電子機器。
【請求項６】
前記第８の表示制御手段により前記記憶された値が表示される際に、発光動作する発光手段を更に備えることを特徴とする請求項２記載の電子機器。
【請求項７】
前記第８の表示制御手段により前記記憶された値が表示される際に、放音動作する音発生手段を更に備えることを特徴とする請求項２又は６記載の電子機器。
【請求項８】
「１」から「９」までの数字それぞれに対応する識別子を順次表示させる第７の表示制御手段と、
前記「１」から「９」までの数字それぞれに対応する識別子が順次表示されている状態において、予め定められている操作の有無を判断する第６の判断手段と、
この第６の判断手段により、前記予め定められている操作の有が判断された時点において表示されていた前記識別子に対応する数字の値を記憶する記憶手段と、
この記憶手段に前記前記識別子に対応する数字の値が記憶されている状態において、予め定められている操作の有無を判断する第７の判断手段と、
この第７の判断手段により前記予め定められている操作の有が判断されたことを条件として、前記記憶された値を表示させる第８の表示制御手段と
を備えることを特徴とする電子機器。
【請求項９】
前記第２の表示制御手段により前記記憶された値が表示される際に、発光動作する発光手段を更に備えることを特徴とする請求項８記載の電子機器。
【請求項１０】
前記第２の表示制御手段により前記記憶された値が表示される際に、放音動作する音発生手段を更に備えることを特徴とする請求項８又は９記載の電子機器。
【請求項１１】
表示手段を備える電子機器が有するコンピュータを、
「１」から「９」までの数字のいずれかを選択させるべきことを示す第１のメッセージを表示させる第１の表示制御手段と、
前記第１のメッセージが表示された後において、予め定められている操作の有無を判断する第１の判断手段と、
この第１の判断手段により前記予め定められている操作の有が判断されたことを条件として、前記選択させた数字に「９」を乗じるべきことを示す第２のメッセージを表示させる第２の表示制御手段と、
前記第２のメッセージが表示された後において、予め定められている操作の有無を判断する第２の判断手段と、
この第２の判断手段により前記予め定められている操作の有が判断されたことを条件として、前記選択させた数字に９を乗じた値における二桁の数字を加算すべきことを示す第３のメッセージを表示させる第３の表示制御手段と、
前記第３のメッセージが表示された後において、予め定められている操作の有無を判断する第３の判断手段と、
ランダムに数字と演算記号とを発生させるランダム数字発生手段と、
前記第３の判断手段により前記予め定められている操作の有が判断されたことを条件として、前記ランダム数字発生手段が発生させた数字と演算記号とを表示させる第４の表示制御手段と、
前記ランダム数字発生手段が発生させた数字と前記演算記号とが表示された後において、予め定められている操作の有無を判断する第４の判断手段と、
この第４の判断手段により前記予め定められている操作の有が判断されたことを条件として、前記二桁の数字を加算した値、前記ランダム数字発生手段が発生させた数字、及び前記演算記号を用いた演算の演算結果を答えるべきことを示す第４のメッセージを表示させる第５の表示制御手段と、
前記第４のメッセージが表示された後において、予め定められている操作の有無を判断する第５の判断手段と、
この第５の判断手段により前記予め定められている操作の有が判断されたことを条件として、予め定められている固定値「９」、前記ランダム数字発生手段が発生させた数字、及び前記演算記号を用いて演算を実行し、その演算結果を表示させる第６の表示制御手段と
して機能させることを特徴とする電子機器制御プログラム。
【請求項１２】
表示手段を備える電子機器が有するコンピュータを、
「１」から「９」までの数字それぞれに対応する識別子を順次表示させる第７の表示制御手段と、
前記「１」から「９」までの数字それぞれに対応する識別子が順次表示されている状態において、予め定められている操作の有無を判断する第６の判断手段と、
この第６の判断手段により、前記予め定められている操作の有が判断された時点において表示されていた前記識別子に対応する数字の値を記憶する記憶手段と、
この記憶手段に前記前記識別子に対応する数字の値が記憶されている状態において、予め定められている操作の有無を判断する第７の判断手段と、
この第７の判断手段により前記予め定められている操作の有が判断されたことを条件として、前記記憶された値を表示させる第８の表示制御手段と
して機能させることを特徴とする電子機器制御プログラム。
【請求項１３】
表示手段を備える電子機器の制御方法であって、
「１」から「９」までの数字のいずれかを選択させるべきことを示す第１のメッセージを表示させる第１の表示制御ステップと、
前記第１のメッセージが表示された後において、予め定められている操作の有無を判断する第１の判断ステップと、
この第１の判断ステップにより前記予め定められている操作の有が判断されたことを条件として、前記選択させた数字に「９」を乗じるべきことを示す第２のメッセージを表示させる第２の表示制御ステップと、
前記第２のメッセージが表示された後において、予め定められている操作の有無を判断する第２の判断ステップと、
この第２の判断ステップにより前記予め定められている操作の有が判断されたことを条件として、前記選択させた数字に９を乗じた値における二桁の数字を加算すべきことを示す第３のメッセージを表示させる第３の表示制御ステップと、
前記第３のメッセージが表示された後において、予め定められている操作の有無を判断する第３の判断ステップと、
ランダムに数字と演算記号とを発生させるランダム数字発生ステップと、
前記第３の判断ステップにより前記予め定められている操作の有が判断されたことを条件として、前記ランダム数字発生ステップが発生させた数字と演算記号とを表示させる第４の表示制御ステップと、
前記ランダム数字発生ステップが発生させた数字と前記演算記号とが表示された後において、予め定められている操作の有無を判断する第４の判断ステップと、
この第４の判断ステップにより前記予め定められている操作の有が判断されたことを条件として、前記二桁の数字を加算した値、前記ランダム数字発生ステップが発生させた数字、及び前記演算記号を用いた演算の演算結果を答えるべきことを示す第４のメッセージを表示させる第５の表示制御ステップと、
前記第４のメッセージが表示された後において、予め定められている操作の有無を判断する第５の判断ステップと、
この第５の判断ステップにより前記予め定められている操作の有が判断されたことを条件として、予め定められている固定値「９」、前記ランダム数字発生ステップが発生させた数字、及び前記演算記号を用いて演算を実行し、その演算結果を表示させる第６の表示制御ステップと
を含むことを特徴とする電子機器制御方法。
【請求項１４】
表示手段を備える電子機器の制御方法であって、
「１」から「９」までの数字それぞれに対応する識別子を順次表示させる第７の表示制御ステップと、
前記「１」から「９」までの数字それぞれに対応する識別子が順次表示されている状態において、予め定められている操作の有無を判断する第６の判断ステップと、
この第６の判断ステップにより、前記予め定められている操作の有が判断された時点において表示されていた前記識別子に対応する数字の値を記憶する記憶ステップと、
この記憶ステップに前記前記識別子に対応する数字の値が記憶されている状態において、予め定められている操作の有無を判断する第７の判断ステップと、
この第７の判断ステップにより前記予め定められている操作の有が判断されたことを条件として、前記記憶された値を表示させる第８の表示制御ステップと
を含むことを特徴とする電子機器制御方法。
【発明の詳細な説明】
【技術分野】
【０００１】
本発明は、マジック機能を有する電子機器、電子機器制御プログラム及び電子機器制御方法に関するものである。
【背景技術】
【０００２】
今日においては、腕時計や携帯電話機等の表示機能を備えた各種電子機器が出現するに至っており、一方、トリック手品具（例えば、特許文献１参照。）等の、各種手品専用具も出現するに至っている。
【特許文献１】特開平３−３３７７６号公報
【発明の開示】
【発明が解決しようとする課題】
【０００３】
したがって、トリック手品具等の各種手品専用具を用いれば、手品を実演することができ、余興効果を発生させることができる。しかしながら、従来の各種電子機器にあっては、専ら機器本来の機能を発生させることを主眼とするものであることから、これを用いて余興効果を発生させたり、当該機器の興趣性を高めさせたりすることはできない。
【０００４】
本発明は、かかる従来の課題に鑑みてなされたものであり、余興効果を発生させたり、興趣性を高めたりさせることのできる電子機器、電子機器制御プログラム及び電子機器制御方法を提供することを目的とする。
【課題を解決するための手段】
【０００５】
前記課題を解決するため請求項１記載の発明に係る電子機器にあっては、「１」から「９」までの数字のいずれかを選択させるべきことを示す第１のメッセージを表示させる第１の表示制御手段と、前記第１のメッセージが表示された後において、予め定められている操作の有無を判断する第１の判断手段と、この第１の判断手段により前記予め定められている操作の有が判断されたことを条件として、前記選択させた数字に「９」を乗じるべきことを示す第２のメッセージを表示させる第２の表示制御手段と、前記第２のメッセージが表示された後において、予め定められている操作の有無を判断する第２の判断手段と、この第２の判断手段により前記予め定められている操作の有が判断されたことを条件として、前記選択させた数字に９を乗じた値における二桁の数字を加算すべきことを示す第３のメッセージを表示させる第３の表示制御手段と、前記第３のメッセージが表示された後において、予め定められている操作の有無を判断する第３の判断手段と、ランダムに数字と演算記号とを発生させるランダム数字発生手段と、前記第３の判断手段により前記予め定められている操作の有が判断されたことを条件として、前記ランダム数字発生手段が発生させた数字と演算記号とを表示させる第４の表示制御手段と、前記ランダム数字発生手段が発生させた数字と前記演算記号とが表示された後において、予め定められている操作の有無を判断する第４の判断手段と、この第４の判断手段により前記予め定められている操作の有が判断されたことを条件として、前記二桁の数字を加算した値、前記ランダム数字発生手段が発生させた数字、及び前記演算記号を用いた演算の演算結果を答えるべきことを示す第４のメッセージを表示させる第５の表示制御手段と、前記第４のメッセージが表示された後において、予め定められている操作の有無を判断する第５の判断手段と、この第５の判断手段により前記予め定められている操作の有が判断されたことを条件として、予め定められている固定値「９」、前記ランダム数字発生手段が発生させた数字、及び前記演算記号を用いて演算を実行し、その演算結果を表示させる第６の表示制御手段と
を備えることを特徴とする。
【０００６】
また、請求項２記載の発明に係る電子機器にあっては、「１」から「９」までの数字それぞれに対応する識別子を順次表示させる第７の表示制御手段と、前記「１」から「９」までの数字それぞれに対応する識別子が順次表示されている状態において、予め定められている操作の有無を判断する第６の判断手段と、この第６の判断手段により、前記予め定められている操作の有が判断された時点において表示されていた前記識別子に対応する数字の値を記憶する記憶手段と、この記憶手段に前記前記識別子に対応する数字の値が記憶されている状態において、予め定められている操作の有無を判断する第７の判断手段と、この第７の判断手段により前記予め定められている操作の有が判断されたことを条件として、前記記憶された値を表示させる第８の表示制御手段とを更に備えることを特徴とする。
【０００７】
また、請求項３記載の発明に係る電子機器にあっては、前記ランダム数字発生手段は、「１」から「５」までの数字をランダムに発生させる第１のランダム数字発生手段と、「６」から「９」までの数字をランダムに発生させる第２のランダム数字発生手段とを備え、前記第４の表示制御手段は、第１のランダム数字発生手段が発生させた数字と演算記号「＋」とを表示させるとともに、前記第２のランダム数字発生手段が発生させた数字と演算記号「−」とを表示させ、前記第６の表示制御手段は、前記第１の第１のランダム数字発生手段が発生した数値を「９」に加算する加算手段と、この加算手段の加算結果から前記第２のランダム数字発生手段が発生した数字を減算する減算手段とを備えることを特徴とする。
【０００８】
また、請求項４記載の発明に係る電子機器にあっては、前記第６の表示制御手段により前記演算手段の演算結果が表示される際に、発光動作する発光手段を更に備えることを特徴とする。
【０００９】
また、請求項１５記載の発明に係る電子機器にあっては、前記第６の表示制御手段により前記演算手段の演算結果が表示される際に、放音動作する音発生手段を更に備えることを特徴とする。
【００１０】
また、請求項６記載の発明に係る電子機器にあっては、前記第８の表示制御手段により前記記憶された値が表示される際に、発光動作する発光手段を更に備えることを特徴とする。
【００１１】
また、請求項７記載の発明に係る電子機器にあっては、前記第８の表示制御手段により前記記憶された値が表示される際に、放音動作する音発生手段を更に備えることを特徴とする。
【００１２】
また、請求項８記載の発明に係る電子機器にあっては、「１」から「９」までの数字それぞれに対応する識別子を順次表示させる第７の表示制御手段と、前記「１」から「９」までの数字それぞれに対応する識別子が順次表示されている状態において、予め定められている操作の有無を判断する第６の判断手段と、この第６の判断手段により、前記予め定められている操作の有が判断された時点において表示されていた前記識別子に対応する数字の値を記憶する記憶手段と、この記憶手段に前記前記識別子に対応する数字の値が記憶されている状態において、予め定められている操作の有無を判断する第７の判断手段と、この第７の判断手段により前記予め定められている操作の有が判断されたことを条件として、前記記憶された値を表示させる第８の表示制御手段とを備えることを特徴とする。
【００１３】
また、請求項９記載の発明に係る電子機器にあっては、前記第２の表示制御手段により前記記憶された値が表示される際に、発光動作する発光手段を更に備えることを特徴とする。
【００１４】
また、請求項１０記載の発明に係る電子機器にあっては、前記第２の表示制御手段により前記記憶された値が表示される際に、放音動作する音発生手段を更に備えることを特徴とする。
【００１５】
また、請求項１１記載の発明に係る電子機器制御プログラムにあっては、表示手段を備える電子機器が有するコンピュータを、「１」から「９」までの数字のいずれかを選択させるべきことを示す第１のメッセージを表示させる第１の表示制御手段と、前記第１のメッセージが表示された後において、予め定められている操作の有無を判断する第１の判断手段と、この第１の判断手段により前記予め定められている操作の有が判断されたことを条件として、前記選択させた数字に「９」を乗じるべきことを示す第２のメッセージを表示させる第２の表示制御手段と、前記第２のメッセージが表示された後において、予め定められている操作の有無を判断する第２の判断手段と、この第２の判断手段により前記予め定められている操作の有が判断されたことを条件として、前記選択させた数字に９を乗じた値における二桁の数字を加算すべきことを示す第３のメッセージを表示させる第３の表示制御手段と、前記第３のメッセージが表示された後において、予め定められている操作の有無を判断する第３の判断手段と、ランダムに数字と演算記号とを発生させるランダム数字発生手段と、前記第３の判断手段により前記予め定められている操作の有が判断されたことを条件として、前記ランダム数字発生手段が発生させた数字と演算記号とを表示させる第４の表示制御手段と、前記ランダム数字発生手段が発生させた数字と前記演算記号とが表示された後において、予め定められている操作の有無を判断する第４の判断手段と、この第４の判断手段により前記予め定められている操作の有が判断されたことを条件として、前記二桁の数字を加算した値、前記ランダム数字発生手段が発生させた数字、及び前記演算記号を用いた演算の演算結果を答えるべきことを示す第４のメッセージを表示させる第５の表示制御手段と、前記第４のメッセージが表示された後において、予め定められている操作の有無を判断する第５の判断手段と、この第５の判断手段により前記予め定められている操作の有が判断されたことを条件として、予め定められている固定値「９」、前記ランダム数字発生手段が発生させた数字、及び前記演算記号を用いて演算を実行し、その演算結果を表示させる第６の表示制御手段として機能させることを特徴とする。
【００１６】
また、請求項１２記載の発明に係る電子機器制御プログラムにあっては、表示手段を備える電子機器が有するコンピュータを、「１」から「９」までの数字それぞれに対応する識別子を順次表示させる第７の表示制御手段と、前記「１」から「９」までの数字それぞれに対応する識別子が順次表示されている状態において、予め定められている操作の有無を判断する第６の判断手段と、この第６の判断手段により、前記予め定められている操作の有が判断された時点において表示されていた前記識別子に対応する数字の値を記憶する記憶手段と、この記憶手段に前記前記識別子に対応する数字の値が記憶されている状態において、予め定められている操作の有無を判断する第７の判断手段と、この第７の判断手段により前記予め定められている操作の有が判断されたことを条件として、前記記憶された値を表示させる第８の表示制御手段として機能させることを特徴とする。
【００１７】
また、請求項１３記載の発明に係る電子機器制御方法にあっては、表示手段を備える電子機器の制御方法であって、「１」から「９」までの数字のいずれかを選択させるべきことを示す第１のメッセージを表示させる第１の表示制御ステップと、
【００１８】
前記第１のメッセージが表示された後において、予め定められている操作の有無を判断する第１の判断ステップと、この第１の判断ステップにより前記予め定められている操作の有が判断されたことを条件として、前記選択させた数字に「９」を乗じるべきことを示す第２のメッセージを表示させる第２の表示制御ステップと、前記第２のメッセージが表示された後において、予め定められている操作の有無を判断する第２の判断ステップと、
【００１９】
この第２の判断ステップにより前記予め定められている操作の有が判断されたことを条件として、前記選択させた数字に９を乗じた値における二桁の数字を加算すべきことを示す第３のメッセージを表示させる第３の表示制御ステップと、前記第３のメッセージが表示された後において、予め定められている操作の有無を判断する第３の判断ステップと、
【００２０】
ランダムに数字と演算記号とを発生させるランダム数字発生ステップと、前記第３の判断ステップにより前記予め定められている操作の有が判断されたことを条件として、前記ランダム数字発生ステップが発生させた数字と演算記号とを表示させる第４の表示制御ステップと、前記ランダム数字発生ステップが発生させた数字と前記演算記号とが表示された後において、予め定められている操作の有無を判断する第４の判断ステップと、この第４の判断ステップにより前記予め定められている操作の有が判断されたことを条件として、前記二桁の数字を加算した値、前記ランダム数字発生ステップが発生させた数字、及び前記演算記号を用いた演算の演算結果を答えるべきことを示す第４のメッセージを表示させる第５の表示制御ステップと、前記第４のメッセージが表示された後において、予め定められている操作の有無を判断する第５の判断ステップと、この第５の判断ステップにより前記予め定められている操作の有が判断されたことを条件として、予め定められている固定値「９」、前記ランダム数字発生ステップが発生させた数字、及び前記演算記号を用いて演算を実行し、その演算結果を表示させる第６の表示制御ステップとを含むことを特徴とする。
【００２１】
また、請求項１４記載の発明に係る電子機器制御方法にあっては、表示手段を備える電子機器の制御方法であって、「１」から「９」までの数字それぞれに対応する識別子を順次表示させる第７の表示制御ステップと、前記「１」から「９」までの数字それぞれに対応する識別子が順次表示されている状態において、予め定められている操作の有無を判断する第６の判断ステップと、この第６の判断ステップにより、前記予め定められている操作の有が判断された時点において表示されていた前記識別子に対応する数字の値を記憶する記憶ステップと、この記憶ステップに前記前記識別子に対応する数字の値が記憶されている状態において、予め定められている操作の有無を判断する第７の判断ステップと、この第７の判断ステップにより前記予め定められている操作の有が判断されたことを条件として、前記記憶された値を表示させる第８の表示制御ステップとを含むことを特徴とする。
【発明の効果】
【００２２】
本発明に係る電子機器によれば、当該電子機器を用いて数字当てマジックを実演することができる。よって、これを用いて余興効果を発生させたり、当該機器の興趣性を高めさせたりすることができる。
【発明を実施するための最良の形態】
【００２３】
以下、本発明の一実施の形態を図に従って説明する。図１は、本発明の一実施の形態を適用した腕時計の外観構成を示す平面図である。
【００２４】
この腕時計１は、時計本体部２とこの時計本体部２の両側に係着されたリストバンド３、４とを有している。時計本体部２の上面中央部には、ＬＣＤ等で構成される表示部５が設けられており、両側部には押下によりスイッチがオン（ＯＮ）となる押釦スイッチ６〜９が２個ずつ配置されている。
【００２５】
図２は、前記時計本体部２内に配置された回路の構成を示すブロック図である。
【００２６】
発振回路１０は基本周波数のクロック信号を生成する回路であり、生成したクロック信号を分周回路１１に出力する。分周回路１１はそのクロック信号を分周して１Ｈｚの計時信号を作成し、時刻計数回路１２に出力する。時刻計数回路１２は時、分、秒のカウンタを有しており、１Ｈｚの計時信号を計数して得られた時、分、秒の時刻データをＣＰＵ１４に出力する。また時刻計数回路１２は２４時間毎の日キャリー信号を日付計数回路１３に出力し、日付計数回路１３はその日キャリー信号を計数して得た日付データをＣＰＵ１４に出力する。入力部１５は、前記押釦スイッチ６〜９を有しており、これらの操作信号をＣＰＵ１４に出力する。
【００２７】
ＣＰＵ１４は、乱数発生部１９を有しており、ＲＯＭ１６に記憶されている各種プログラムを解読し、ＲＡＭ１７をワークエリアとして使用しつつ、時刻表示処理や後述するフローチャートに示す処理等を実行する中央処理部である。前記表示部５は、ＣＰＵ１４から出力される現在時刻データあるいは表示データに基づいて表示素子を駆動してそれらのデータを表示する。表示部５の下面側には、ＥＬ２２が積層されており、ＣＰＵ１４はこのＥＬ２２の点灯動作を制御するとともに、音出力部１８の放音動作を制御する。
【００２８】
図３は、前記ＲＯＭ１６のメモリ構成を示す概念図である。
【００２９】
ＲＯＭ１６には前記プログラムを格納するプログラム記憶領域１６１、後述する表示例に示す各種文字や画像を表示するための画像データを格納する画像データ格納領域１６２等が設けられている。
【００３０】
図４は、前記ＲＡＭ１７のメモリ構成を示す概念図である。
【００３１】
ＲＡＭ１７には、前記乱数発生部１９が発生させた第１の乱数（ｒ０１）と第２の乱数（ｒ０２）とを各々格納する第１及び第２の乱数格納部１７１、１７２、後述する正解値ｉ、ｎを各々格納するｉレジスタ１７３とｎレジスタ１７４等が設けられている。なお、本実施の形態においては、第１の乱数（ｒ０１）は１〜５のいずれかであり、第２の乱数（ｒ０２）は６〜９のいずれかである。
【００３２】
次に、以上の構成に係る本実施の形態の動作を、数字当てマジックを行う演者Ｘと観客Ｙの動作とともに説明する。
【００３３】
すなわち、演者Ｘが所有する腕時計１は、時計モードにおいては、表示部５に現在時刻を表示させている。この状態から、演者Ｘがこの腕時計１を用いて観客Ｙの目前で数字当てマジックを行うべく、押釦スイッチ６を操作すると、時計モードからマジックモードに移行し、ＣＰＵ１４はプログラムに従って図５のフローチャートに示す処理を実行する。
【００３４】
先ず、乱数発生部１９に１回目の動作をさせて１〜５のいずれかの数値からなる第１の乱数（ｒ０１）を生成し、更に２回目の動作をさせて６〜９のいずれかの数値からなる第２の乱数（ｒ０２）を生成するともに、これら第１及び第２の乱数（ｒ０１，ｒ０２）をＲＡＭ１７の乱数格納部１７１、１７２に各々格納する（ステップＳ１）。次に、表示部５に「ＴＨＩＮＫ」の文字と「１〜９」の数字とを予め定められている時間間隔（たとえば、1秒間隔）で切り替え表示させる（ステップＳ２）。このステップＳ２での処理により、図６（Ａ）に示すように、表示部５には、「ＴＨＩＮＫ」の文字と「１〜９」の数字とが１秒間隔で切り替え表示される。
【００３５】
この「ＴＨＩＮＫ」の文字と「１〜９」の数字との切り替え表示を見た演者Ｘは、観客Ｙに対して「１から９の中からひとつ数字を頭に思い浮かべてください」という発言をすべきことを促され、同発言を行う。この発言を聞いた観客Ｙは、これに従って１から９の中から任意の数字、例えば「７」を頭に思い浮かべる。しかる後に、演者Ｘが「思い浮かべましたね」等の確認発言を行ってから、押釦スイッチ８を操作すると、ステップＳ３の判断がＹＥＳとなり、ステップＳ３からステップＳ４に進む。そして、表示部５に「×９＝？」の演算記号、数字、疑問符の文字（以下、「文字」という）を表示させる（ステップＳ４）。このステップＳ４での処理により、図６（Ｂ）に示すように、表示部５には、「×９＝？」の文字が表示される。
【００３６】
この「×９＝？」の文字を見た演者Ｘは、観客Ｙに対して「思い浮かべた数字に９を掛けてください」という発言をすべきことを促され、同発言を行う。この発言を聞いた観客Ｙはこれに従って、思い浮かべた数字、本例では「７」に「９」を掛けて、「６３」を頭に思い浮かべる。しかる後に、演者Ｘが「９を掛けましたね」等の確認発言を行ってから、押釦スイッチ８を操作すると、ステップＳ５の判断がＹＥＳとなり、ステップＳ５からステップＳ６に進む。そして、表示部５に「＝ＡＢ」の文字と「Ａ＋Ｂ＝？」の文字とを切り替え表示させる（ステップＳ６）。このステップＳ６での処理により、図６（Ｃ）に示すように、表示部５には、「＝ＡＢ」の文字と「Ａ＋Ｂ＝？」の文字とが１秒間隔で切り替え表示される。
【００３７】
この「＝ＡＢ」の文字と「Ａ＋Ｂ＝？」の文字との切り替え表示を見た演者Ｘは、観客Ｙに対して「二桁になったと思いますが、その各桁を足してください」という発言をすべきことを促され、同発言を行う。なお、補足的に「一桁である場合には、そのままで良いです。」の発言も行う。この発言を聞いた観客Ｙは、二桁になった各桁の数字、本例では「６」と「３」を足して「９」を頭に思い浮かべる。
【００３８】
ここで、１〜９の数字に９を掛けて、二桁になった各桁の数字を足すと、その答は下記のように必ず「９」となる。
１×９＝９    ０＋９＝９
２×９＝１８  １＋８＝９
３×９＝２７  ２＋７＝９
４×９＝３６  ３＋６＝９
５×９＝４５  ４＋５＝９
６×９＝５４  ５＋４＝９
７×９＝６３  ６＋３＝９
８×９＝７２  ７＋２＝９
９×９＝８１  ８＋１＝９
したがって、ＣＰＵ１４において観客Ｙが頭に思い浮かべた数字が「９」であることは既知である。
【００３９】
しかる後に、演者Ｘが「思い浮かべましたね」等の確認発言を行ってから、押釦スイッチ８を操作すると、ステップＳ７の判断がＹＥＳとなり、ステップＳ７からステップＳ８に進む。そして、表示部５にて「＋ｒ０１（第１の乱数値）＝？」の表示を実行する（ステップＳ８）。ここで、「ｒ０１」は、前記ステップＳ１で発生させてＲＡＭ１７の乱数格納部１７１に格納した第１の乱数値である。したがって、例えばこの第１の乱数値（ｒ０１）が「５」であったとすると、「＋ｒ０１＝？」における「ｒ０１」の部分が「５」に置き換えられて、図６（Ｄ）に示すように、表示部５には、「＋５＝？」の文字が表示されることとなる。つまり、この時点で既知である「９」に加算すべき第１の乱数（１〜５）がランダムに出現することとなる。
【００４０】
この「＋５＝？」の文字を見た演者Ｘは、観客Ｙに対して「その数に５を足してください」という発言をすべきことを促され、同発言を行う。この発言を聞いた観客Ｙはこれに従って、「９」に「５」を足して、「１４」を頭に思い浮かべる。しかる後に、演者Ｘが「足しましたね」等の確認発言を行ってから、押釦スイッチ８を操作すると、ステップＳ９の判断がＹＥＳとなり、ステップＳ９からステップＳ１０に進む。そして、表示部５にて「−ｒ０２（第２の乱数値）＝？」の表示を実行する（ステップＳ１０）。ここで、「ｒ０２」は、前記ステップＳ１で発生させてＲＡＭ１７の乱数格納部１７２に格納した第２の乱数値である。したがって、例えばこの第２の乱数（ｒ０２）が「６」であったとすると、「−ｒ０２＝？」における「ｒ０２」の部分が「６」に置き換えられて、図６（Ｅ）に示すように、表示部５には、「−６＝？」の文字が表示されることとなる。つまり、この時点で６から９まで引数がランダムに出現することとなる。
【００４１】
なお、本実施の形態においては、ステップＳ１で第１及び第２の乱数を生成して記憶しておくようにしたが、ステップＳ８及びステップＳ１０の処理時点で各々第１及び第２の乱数を生成するようにしてもよい。
【００４２】
また、前記「−６＝？」の文字を見た演者Ｘは、観客Ｙに対して「その数から６を引いてください」という発言をすべきことを促され、同発言を行う。この発言を聞いた観客Ｙはこれに従って、「１４」から「６」を引いて、「８」を頭に思い浮かべる。しかる後に、演者Ｘが「引きましたね」等の確認発言を行ってから、押釦スイッチ８を操作すると、ステップＳ１１の判断がＹＥＳとなり、ステップＳ１１からステップＳ１２に進む。そして、表示部５に演算結果を示す「ＴＯＴＡＬ」の文字と演算結果の解答を促す「ＮＯ．ＩＳ」の文字とを切り替え表示させる（ステップＳ１２）。このステップＳ１２での処理により、図７（Ｆ）に示すように、表示部５には、「ＴＯＴＡＬ」の文字と「ＮＯ．ＩＳ」の文字とが１秒間隔で切り替え表示される。
【００４３】
この「ＴＯＴＡＬ」の文字と「ＮＯ．ＩＳ」の文字との切り替え表示を見た演者Ｘは、適宜のタイミングで押釦スイッチ８を操作する。これにより、ステップＳ１３の判断がＹＥＳとなりステップＳ１３からステップＳ１４に進む。そして、９＋ｒ０１−ｒ０２＝ｉを演算して、その演算結果の値ｉを表示させるとともに、グラフィック演出表示処理、ＥＬ発光及び音発生の各処理を実行する（ステップＳ１４）。
【００４４】
つまり、本例においては乱数の値が「ｒ０１＝５」、「ｒ０２＝６」であったことから、「９＋５−６＝８」となり、したがって、このステップＳ１４での処理により、図７（Ｇ）に示すように、表示部５には、演算結果の「８」の文字が表示される。演者Ｘは、「合計の数字は８ですね」の発言とともに、「８」が表示された表示部５を観客に見せる。
【００４５】
このとき、前述のように、１〜９の数字に９を掛けて、二桁になった各桁の数字を足すと、その答は必ず「９」となることから、「９＋ｒ０１−ｒ０２＝ｉ」において、「９」はＣＰＵ１４が既知の固定的な値である。したがって、「ｒ０１」及び「ｒ０２」がランダムな値であっても、固定的な値「９」が既知であることにより、ＣＰＵ１４が算出した値「ｉ」は、観客Ｙが頭の中で算出した値と必ず一致する。
【００４６】
しかるに、１〜９の数字に９を掛けて、二桁になった各桁の数字を足すと、その答は必ず「９」となることを知らない観客Ｙは、最初に思い浮かべた数字に「９」を掛けて、二桁になった各桁の数字を足し、その後「＋５」及び「−６」の計算を観客Ｙが頭の中で行った答である数字「８」と、腕時計１の表示部５に表示された数字「８」とが合致することにより、驚愕する（第１の驚愕）。これにより、腕時計１に対する興趣性を向上させることができる。
【００４７】
このとき、本実施の形態においては、ランダムに発生させた１〜５の加算と、６〜９の減算とを行うようにしたことから、その答を観客Ｙが計算しやすくまた覚えやすい一桁の数値にすることができる。
【００４８】
しかも、ステップＳ１４で実行されるグラフィック演出表示により、図７（Ｇ）に示すように、答である「８」の両側に、各々長さの異なる垂直方向の５本ずつのバーからなるグラフィックバー２０が順次変化する表示がなされ、且つＥＬ発光処理によりＥＬ２２が例えば２秒間発光し、さらに音発生処理により音出力部１８から効果音が発生することから、観客の驚愕（第１の驚愕）は一層高められる。したがって、グラフィックバー２０は後述するように、数値を表しつつ変化するが、観客がこのことに気づくことはない。
【００４９】
そして、ステップＳ１４に続くステップＳ１５においては、押釦スイッチ８が操作されたか否かを判断し、操作されない場合には、１秒毎にｎの値０〜９まで変化させ、このｎの値に対応するグラフィックバー表示を行う（ステップＳ１６）。
【００５０】
すなわち、各々長さの異なる垂直方向の左右５本ずつのバーからなるグラフィックバー２０において、図８に示すように、内側から１本ずつのバーａ，ａが表示された状態が「１」であることを意味し（ｎ＝１）（Ａ）、２本ずつのバーａ，ａ，ｂ，ｂが表示された状態が「２」であることを意味し（ｎ＝２）（Ｂ）、３本ずつのバーａ，ａ，ｂ，ｂ，ｃ、ｃが表示された状態が「３」であることを意味し（ｎ＝３）（Ｃ）、４本ずつのバーａ，ａ，ｂ，ｂ，ｃ，ｃ，ｄ，ｄが表示された状態が「４」であることを意味し（ｎ＝４）（Ｄ）、全てのバーａ〜ｅが表示された状態が「５」であることを意味する（ｎ＝５）（Ｅ）。
【００５１】
また、外側から４本ずつのバーｂ，ｂ，ｃ，ｃ，ｄ，ｄ，ｅ，ｅが表示された状態が「６」であることを意味し（ｎ＝６）（Ｆ）、３本ずつのバーｃ，ｃ，ｄ，ｄ，ｅ，ｅが表示された状態が「７」であることを意味し（ｎ＝７）（Ｇ）、２本ずつのバーｄ，ｄ，ｅ，ｅが表示された状態が「８」であることを意味し（ｎ＝８）（Ｈ）、１本ずつのバーｅ，ｅが表示された状態が「９」であることを意味し（ｎ＝９）（Ｉ）、全てのバーが消去された状態が「０」（ＮＯＰ）であることを意味する（ｎ＝０）（Ｊ）。
【００５２】
そして、ステップＳ１６の処理においては、前述のように１秒毎にｎの値０〜９まで変化させることにより、図８に示すように、（Ａ）〜（Ｊ）の表示を１秒間隔で繰り返す。
【００５３】
このように、「１」から「９」までの数字それぞれに対応する識別子である、各々長さの異なる垂直方向の左右５本ずつのバーからなるグラフィックバー２０を１秒毎に切り替え表示させる。ここで、演者Ｘは、予め取扱説明書等を読むことにより、（Ａ）〜（Ｊ）の表示と１〜９、０の値との関係を知っている。
【００５４】
一方、演者Ｘは、前記ステップＳ１４で表示された答の数字を見せて前記第１の驚愕が生じた観客に対し、「最初に頭に思い浮かべた数字は何ですか？」と質問する。すると、観客Ｙは、「７です。」と答える。これ聞いた演者Ｘは、前記（Ａ）〜（Ｊ）の表示において観客が答えた数字（「７」）に対応する表示が出現した時点、本例においては図８（Ｇ）の表示が出現した時点（ｎ＝７）で、押釦スイッチ８を操作する。これにより、ステップＳ１５の判断がＹＥＳとなり、ステップＳ１５からステップＳ１７に進み、押釦スイッチ８の操作があった時点のｎの値をｎレジスタ１７４に記憶する（ステップＳ１７）。
【００５５】
引き続き、表示部５に「ＴＨＩＮＫ」の文字と「ＮＯ．ＩＳ」の文字とを切り替え表示させる（ステップＳ１８）。このステップＳ１８での処理により、図７（Ｈ）に示すように、表示部５には、「ＴＨＩＮＫ」の文字と「ＮＯ．ＩＳ」の文字とが１秒間隔で切り替え表示される。この切り替え表示を観客Ｙに見せることにより、恰も腕時計１が思考しているような演出効果を発生させることができる。
【００５６】
そして、演者Ｘが押釦スイッチ８を操作すると、ステップＳ１９の判断がＹＥＳとなり、ステップＳ１９からステップＳ２０に進む。そして、表示部５にｎレジスタ１７４に格納されている値ｎ（「７」）を表示するとともに、前述したステップＳ１４と同様に、グラフィック演出表示、ＥＬ発光及び音発生の各処理を実行する（ステップＳ２０）。
【００５７】
したがって、このステップＳ２０での処理により、図７（Ｉ）に示すように、表示部５には、「７」の文字が表示される。演者Ｘは、「あなたが最初に頭に浮かべた数字はこれですね」の発言とともに、「７」が表示された表示部５を観客に見せる。この数字「７」にあっては、演者Ｘが観客Ｙから聞いた数字を、前述のように観客Ｙに知られることなく入力したものに過ぎない。しかし、観客Ｙはその事実を知らないことから、最初に思い浮かべた数字と、腕時計１の表示部５に表示された数値とが合致することにより、驚愕する（第２の驚愕）。これにより、腕時計１に対する興趣性を向上させることができる。しかも、前述と同様のグラフィック演出表示や、ＥＬ発光処理、音発生処理により、観客の驚愕（第２の驚愕）は一層高められることとなる。
【００５８】
なお、本実施の形態においては、図８（Ａ）〜（Ｉ）に示したグラフィックバー表示による識別子により１〜９の数字を表示するようにしたが、これに限ることなく図９に示すようにリング状セグメント表示２１における点灯させるセグメントの数や位置で数字を識別子表示したり、あるいは色も構成要素に加えて識別子表示したりする等、識別子表示の形態はどのようなものであってもよい。
【００５９】
また、実施の形態においては、本発明を腕時計に適用した場合を示したが、これに限ることなく、マジック専用機器として構成したり、携帯ゲーム機器、携帯電話機等の他の電子機器に適用したりするようにしてもよい。
【図面の簡単な説明】
【００６０】
【図１】本発明の一実施の形態に係る腕時計の外観構成図である。
【図２】同腕時計の回路構成を示すブロック図である。
【図３】ＲＯＭのメモリ構成図である。
【図４】ＲＡＭのメモリ構成図である。
【図５】本実施の形態の処理手順を示すフローチャートである。
【図６】同実施の形態の表示遷移図である。
【図７】図６に続く表示遷移図である。
【図８】ステップＳ１６の処理手順に対応する表示遷移図である。
【図９】他の数字の識別子表示例を示す図である。
【符号の説明】
【００６１】
１    腕時計
２    時計本体部
３    リストバンド
５    表示部
６〜９    押釦スイッチ
８    押釦スイッチ
１４    ＣＰＵ
１５    入力部
１６    ＲＯＭ
１７    ＥＬ
１７    ＲＡＭ
１８    音出力部
１９    乱数発生部
２０    グラフィックバー
１６１    プログラム記憶領域
１６２    画像データ格納領域
１７１    乱数格納部
１７１    第２の乱数格納部
１７２    乱数格納部
１７３    ｉレジスタ
１７４    ｎレジスタ
【図１】
2008104536.tif 000003
【図２】
2008104536.tif 000004
【図３】
2008104536.tif 000005
【図４】
2008104536.tif 000006
【図５】
2008104536.tif 000007
【図６】
2008104536.tif 000008
【図７】
2008104536.tif 000009
【図８】
2008104536.tif 000010
【図９】
2008104536.tif 000011